(57)【特許請求の範囲】
【請求項１】
内容物を収納するパウチ本体とパウチ本体から分岐状に透明、或いは半透明の計量室を設け、計量室に注出部を併設したパウチにおいて、パウチ本体と計量室の計量部を分岐部に部分的に設けた連通部を介して連通させると共に、分岐部の一部に帯状のヒートシール部からなる非連通部を設け、さらに前記帯状のヒートシール部の基部にヒートシール部の長手方向に沿って切り込みを設け、かつ前記帯状のヒートシール部に対向する計量室のヒートシール部に、前記切り込みに向かうＶノッチを設けたことを特徴とする計量機能付きパウチ。
【請求項２】
前記計量室の計量部にエンボス加工による膨らみ部を設けたことを特徴とする請求項１に記載の計量機能付きパウチ。
【請求項３】
前記計量室の注出部にエンボス加工による易注出加工部を設けたことを特徴とする請求項１又は２に記載の計量機能付きパウチ。
【請求項４】
前記計量室の裏面に補強用部材を配設したことを特徴とする請求項１〜３のいずれかに記載の計量機能付きパウチ。
【発明の詳細な説明】
【０００１】
【発明の属する技術分野】
本発明は、パウチ内に収納した粉体、顆粒或いは液体等の内容物を計量して取り出すことができる計量機能付パウチに関する。
【０００２】
【従来の技術】
従来、洗剤、調味料、食品、化粧品等のパウチとして、プラスチックフィルムの単層又は積層材からなり、種々の形状、構造を有するパウチが提案されているが、これらのパウチは内容物の充填と内容物の計量注出を容易に行う機能を有するものではない。
計量機能を有するプラスチックパウチとしては、パウチのシール面に内容物注出路を形成し、この注出路を計量槽に接続したものが提案されているが（特開平７−４１０１７号公報）、このパウチでは内容物の計量時に注出口を手で閉じ、内容物を所定量計量槽に送り込んだ後に、計量槽とパウチ本体の接続部を手で押さえ、注出口を開放することによって所定量の内容物を取り出すものである。
したがって、このパウチでは、一定の手順によりパウチを手によって操作することが必要であり、内容物の計量性が悪く、また内容物により手を汚す等の問題点があった。さらに、内容物の充填後のヒートシール時に、計量槽、注出口を形成しなければならず、充填適性が悪い。
【０００３】
【発明が解決しようとする課題】
本発明は上記した従来技術の問題点を解消し、簡単な操作によって所定量の内容物を精度良く容易に取り出すことができるとともに、注出時に内容物によって手を汚すおそれがなく、また内容物の充填が容易に行える充填性に優れた計量機能付きパウチを提供することを目的とするものである。
【０００４】
【課題を解決するための手段】
本発明では上記課題を解決するために、次のような構成をとる。
１． 内容物を収納するパウチ本体とパウチ本体から分岐状に透明、或いは半透明の計量室を設け、計量室に注出部を併設したパウチにおいて、パウチ本体と計量室の計量部を分岐部に部分的に設けた連通部を介して連通させると共に、分岐部の一部に帯状のヒートシール部からなる非連通部を設け、さらに前記帯状のヒートシール部の基部にヒートシール部の長手方向に沿って切り込みを設け、かつ前記帯状のヒートシール部に対向する計量室のヒートシール部に、前記切り込みに向かうＶノッチを設けたことを特徴とする計量機能付きパウチ。
２．前記計量室の計量部にエンボス加工による膨らみ部を設けたことを特徴とする１に記載の計量機能付きパウチ。
３．前記計量室の注出部にエンボス加工による易注出加工部を設けたことを特徴とする１又は２に記載の計量機能付きパウチ。
４．前記計量室の裏面に補強用部材を配設したことを特徴とする１〜３のいずれかに記載の計量機能付きパウチ。
【０００５】
【発明の実施の形態】
以下、図面に基づいて本発明の実施の形態について具体的に説明する。
図１乃至図６は本発明をスタンディングパウチに適用した１例を示す図であり、図１は内容物を充填した状態を示す正面図、図２（ａ）は図１のＡ−Ａ断面図、図２（ｂ）は図１のＢ−Ｂ断面図、図３は計量時の参考図、図４（ａ）は図３のＣ−Ｃ断面図、図４（ｂ）は図３のＤ−Ｄ断面図、図５は内容物の注出時の参考図、そして図６は内容物の充填時の参考図である。
このパウチ１には、内容物を収納するパウチ本体２と、パウチ本体２の頂部３の直下か、或いは適宜下方の分岐部４から分岐させて、透明、或いは半透明の計量室５を設ける。
計量室５は計量部６と注出部７からなり、計量部６は分岐部４に設けられた連通部８を介してパウチ本体２と連通しており、また注出部７は分岐部４に設けられた帯状のヒートシール部９で連通しないように構成され、計量室５内に必要以上の内容物が流入するのを防止する。また、計量室５の表面には目盛り１０が付されるが、この目盛り１０は複数設けるようにしてもよい。このヒートシール部９の基部には切り込み１１が設けられている。
尚、図示しないが、連通部８は内容物が通過できればよく、例えば図１に破線で示すように部分的にヒートシール、又は接着されていてもよい。
【０００６】
パウチ１は、パウチ本体２の表面材１２を分岐部４で折り返し、その端部を計量室５を構成する上面材１３の下端部にヒートシールし、上面材１３を透明、或いは半透明とし、パウチ本体２の裏面材１４と頂部３でヒートシールすると共に、表面材１２と上面材１３の両側をヒートシールすることにより、周縁部に設けたヒートシール部１５で計量室５を構成する。一方、パウチ本体２の表面材１２および裏面材１４と底面を構成するマチ部１６をヒートシールして、パウチ本体２を構成する。
尚、計量室５の下方における表面材１２の端部と上面材１３のヒートシール部１５には、上記した帯状のヒートシール部９の基部の切り込み１１に向かうＶノッチ１７が設けられ、パウチ１の使用時にＶノッチ１７から切り込み１１に向かって注出部７の先端部の開封を行う。
【０００７】
このパウチ１から内容物を計量して取り出すには、Ｖノッチ１７から切り込み１１に向かって注出部７の先端部を開封し、図３に示すようにパウチ本体２の分岐部４から計量室５立ち上げた後、矢印方向にパウチ１全体を傾ける。
この時、図４（ａ）に示すように、内容物を分岐部４の連通部８から計量室５の計量部６に流入させて、目視により目盛り１０で確認して計量を行う。
一方、図４（ｂ）に示すように、内容物は分岐部４の帯状のヒートシール部９を設けた部分からは計量室５の注出部７には流入せず、計量室５内に必要以上の内容物が流入するのを防止する。
次いで、図５に示すように、パウチ１を起こして元に戻し、計量室５を矢印方向にパウチ本体２側に折り返した後に、パウチ１を傾けて計量室５内の所定量の内容物を注出部７の注出口１８から取り出す。
尚、このパウチ１では、図６に示すように、パウチ本体２から計量室５を分岐させて設けているので、パウチ本体２の頂部３を未シールとした状態で、広口の頂部３から内容物を充填した後に、頂部３をヒートシールすることによって、内容物を容易に効率よく充填することができる。
【０００８】
本発明のパウチでは、計量室５をパウチ本体から分岐させて設けたことによって、単にパウチを傾けたり起こしたりするだけで、所定量の内容物を簡単な操作で取り出すことができる。また、内容物を計量した後に、計量室５を折り返してパウチ本体２との連通を遮断することができるので、従来の計量機能付きパウチに比較して計量の精度が大巾に向上するとともに、内容物に全く触れずに所定量の内容物を取り出すことができる。さらに計量室の表面に目盛を複数設ければ、異なる量の内容物を計量して取り出すことが可能となる。
【０００９】
本発明のパウチは、単層又は多層のプラスチックフイルムにより構成されるが、使用するプラスチックフイルムとしては特に制限はなく、通常パウチに用いられるものはいずれも使用可能である。
プラスチックフイルムを構成するのに適した材料としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、ＥＶＡケン化物、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；ポリアクリル系樹脂；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリエチレンナフタレート、ポリテトラメチレンテレフタレート等のポリエステル類；各種ポリカーボネート；フッ素系樹脂；ポリオキシメチレン等のポリアセタール類等の熱可塑性樹脂を挙げることができる。
これらのプラスチック材料からなるフイルムは未延伸の、或いは一軸又は二軸延伸したフイルムとして用いられる。
【００１０】
本発明のパウチ本体に使用するプラスチックフイルムは、これらのプラスチックフイルムを単層で、又は２種以上を積層して構成することができ、また、これらのプラスチックフイルムの１種又は２種以上と、アルミニウム等の金属箔、紙、セロファン等を貼合せて構成することも出来る。
特に、ガスバリヤー性を必要とする内容物の場合には、ポリ塩化ビニリデン樹脂層、ＥＶＡケン化物の層、アルミニウムや酸化珪素などの金属酸化物の蒸着膜を有する樹脂層、アルミニウム等の金属箔等を含む積層フイルムを使用することが好ましい。これらの積層フイルムを製造する際には、各層間に必要に応じてエポキシ系樹脂、ウレタン系樹脂、ポリエチレンイミン系樹脂等からなる接着剤、或いはアンカー剤を介在させることもできる。
【００１１】
パウチを構成するフイルムに剛性や断熱性等を付与するために、各種合成樹脂の発泡体からなるフイルムを使用することもでき、また各種合成樹脂に酸化チタン、炭酸カルシウム、カーボン等の添加剤を充填したフイルムを使用することもできる。また、プラスチックフイルムを単層とするか、或いはどのような層構成にするかは、パウチに充填する内容物の性状に応じて選択すればよい。
プラスチックフイルムの製造は、キャスト法、Ｔダイ法、カレンダー法又はインフレーション法等の通常の方法により行うことができる。また、積層フイルムの製造は、あらかじめ形成したフイルムのドライラミネーション、基体フイルムへのコーティング、溶融共押し出し等通常の方法により行うことができる。
パウチを構成するフイルムとして積層フイルムを使用する場合には、ヒートシール性を付与するために、通常は内面フイルムとしてポリエチレン等のヒートシール性を有する樹脂を使用することが好ましい。
【００１２】
本発明のプラスチックパウチの形態には特に制限はなく、スタンディングパウチのほかに、平袋、ピロー袋、ガセット袋等各種形状のパウチに本発明を適用することができる。
図７は本発明のパウチの他の例を示す図であり、パウチ本体２の上面材１３を折り返して計量室５にガセット１９を形成したものである。パウチの他の構成は、図１乃至図６のパウチと同様の構成を有する。
本構成によれば、計量室５の容積を十分に大きくすることが可能となる。
【００１３】
図８は本発明のパウチの他の例を示す図であり、エンボス加工によって計量室５の計量部６の表面に膨らみ部２０を設けると共に、注出部７に補強用の線状の易注出加工部２１を外方に凸となるように設けたものである。パウチの他の構成は図１乃至図６のパウチと同様の構成を有する。
尚、上記膨らみ部２０及び易注出加工部２１は、それぞれ計量室５の対応する裏面に設けても良い。
本構成によれば、計量室５の計量部６の計量が容易になり、また、注出部７からの内容物の取り出しが容易になる。
【００１４】
図９乃至図１０は本発明のパウチのさらに他の例を示す図であり、図９は正面図、図１０（ａ）は図９のＥ−Ｅ断面図、図１０（ｂ）は図のＦ−Ｆ断面図である。
この例では、パウチ本体２と計量室５の分岐部４に、部分的に開口２３を設けたプラスチックフィルムから成る仕切部材２２を、計量室５内で下方にＶ字、或いはＵ字型に湾曲させてヒートシール、或いは接着したものである。
また、計量室５の注出部７の開封部にレーザー、機械加工等による易開封加工部２４を設け、さらに、開封開始部にはノッチ、切り込みを設けることで安定した開封性を得るものである。
本構成によれば、図３に示したようにパウチ本体２から計量室５を立ち上げてパウチ１全体を傾けると、パウチの内容物は分岐部４に設けられた仕切部材２２の開口２３（図１０（ａ）参照）を通過して、計量室５の計量部６に流入する。
そして、図１０（ｂ）に示すように、分岐部４の仕切部材２２によって内容物は開口２３以外の部分からは計量室５の注出部７には流入せず、必要以上の内容物が流入するのを確実に防止する。
尚、仕切部材２２は、分岐部４の近傍でヒートシールしても良く、また上記開口２３は、一つに限らず複数形成しても良い。或いは上記開口２３は、幅広のスリット状としても良く、さらに、計量室５の注出部７側のみに部分的に仕切部材をヒートシール、或いは接着するようにしても良い。
また、仕切部材２２は、計量室５で上方に湾曲させてヒートシール、或いは接着しても良く、Ｖ字、或いはＵ字型に湾曲させずにＳ字型に形成しても良い。
【００１５】
図１１は、本発明のパウチのさらに他の例を示す部分断面図であり、この例では、計量室５の内面でパウチ本体２側に、補強部材２５をヒートシール、或いは接着したものである。
本構成によれば、計量室５に剛性を付与することが可能になり、内容物の計量と注出が容易になる。また、補強部材としては、プレート状の剛性を有するプラスチックフィルム、紙、それらの複合材等が使用される。尚、補強部材２５は、計量室５の外面に設けても良く、また、パウチ本体２と反対側の面に設けても良い。
【００１６】
本発明の計量機能付きプラスチックパウチに収容する内容物としては、自重で容易に流動するものであれば特に制限はなく、各種の流動性を有する粉体、顆粒、液体が挙げられる。好ましい内容物としては、例えば粒状、顆粒状、又は液状の洗剤、入浴剤、漂白剤や、インスタントコーヒー、砂糖、塩、等の食品類が挙げられる。
【００１７】
【発明の効果】
本発明のパウチによれば、計量室５をパウチ本体から分岐させて設けたことによって、単にパウチを傾けたり起こしたりするだけで所定量の内容物を簡単な操作で取り出すことができる。また、内容物を計量した後に、計量室を折り返してパウチ本体２との連通を遮断することができ、計量の精度が大巾に向上するとともに、内容物に全く触れずに所定量の内容物を取り出すことができる。さらに、内容物の充填適性にも優れている。
【図面の簡単な説明】
【図１】本発明の計量機能付きパウチの１例を示す正面図である。
【図２】図１のＡ−Ａ、Ｂ−Ｂにおける断面図である。
【図３】図１のパウチによる内容物の計量時の参考図である。
【図４】図３のＣ−Ｃ、Ｄ−Ｄにおける断面図である。
【図５】図１のパウチによる内容物の取り出し時の参考図である。
【図６】図１のパウチによる内容物の充填時の参考図である。
【図７】本発明の計量機能付きパウチの他の例を示す断面図である。
【図８】本発明の計量機能付きパウチの他の例を示す正面図である。
【図９】本発明の計量機能付きパウチの他の例を示す正面図である。
【図１０】図９のＥ−Ｅ、Ｆ−Ｆにおける断面図である。
【図１１】本発明の計量機能付きパウチの他の例を示す部分断面図である。
【符号の発明】
１        パウチ
２        パウチ本体
３        頂部
４        分岐部
５        計量室
６        計量部
７        注出部
８        連通部
９        帯状のヒートシール部
１０      目盛り
１１      切り込み
１２      表面材
１３      上面材
１４      裏面材
１５      ヒートシール部
１６      マチ部
１７      ノッチ
１８      注出口
１９      ガセット
２０      膨らみ部
２１      易注出加工部
２２      仕切部材
２３      開口
２４      易開封加工部
２５      補強部材
【図１】
0004231973.tif 000002
【図２】
0004231973.tif 000003
【図３】
0004231973.tif 000004
【図４】
0004231973.tif 000005
【図５】
0004231973.tif 000006
【図６】
0004231973.tif 000007
【図７】
0004231973.tif 000008
【図８】
0004231973.tif 000009
【図９】
0004231973.tif 000010
【図１０】
0004231973.tif 000011
【図１１】
0004231973.tif 000012